(57)【要約】【課題】簡易な構成により、断面の相当直径が１０００マイクロメートル以下のマイクロ流路内に流れる導電性流体を迅速に撹拌したり混合する。【解決手段】混合流路２２の底部に、混合流路２２内に流れる流体の流心に対して偏心するようにその隙間が波線状となるよう形成された一対の電極２４ａ，２４ｂを配設し、この電極２４ａ，２４ｂに振幅が１０Ｖ以上で１０5Ｈｚ以上の周波数の交流電圧を印加する。電極２４ａ，２４ｂ上ではエレクトロサーマルフロー（Electrothermal Flow）により導電性流体に対流現象作用が生じるため、混合流路２２内の流体を迅速に撹拌したり混合することができる。【選択図】図１
2008062190.tif 000002
【特許請求の範囲】
【請求項１】
断面の相当直径が１０００マイクロメートル以下の流路に流れる所定導電率を超える導電率を有する導電性流体を撹拌するマイクロミキサーであって、
前記流路に配設された複数の電極と、
前記複数の電極に所定周波数以上の周波数の交流電圧を印加する交流電圧印加手段と、
を備えるマイクロミキサー。
【請求項２】
前記所定導電率は、１０-3ｍｏｌ／ｌの塩化カリウム水溶液の導電率である請求項１記載のマイクロミキサー。
【請求項３】
前記所定周波数は、１０5Ｈｚである請求項１または２記載のマイクロミキサー。
【請求項４】
前記複数の電極は、前記流路における導電性流体の流心に対して非対称となるよう配設されてなる請求項１ないし３いずれか記載のマイクロミキサー。
【請求項５】
前記複数の電極は、千鳥状に配設されてなる請求項１ないし４いずれか記載のマイクロミキサー。
【請求項６】
前記複数の電極は、二つの電極を該二つの電極間の隙間が曲線状となるよう形成されて配設されてなる請求項１ないし３いずれか記載のマイクロミキサー。
【請求項７】
前記二つの電極は、該二つの電極間の隙間が波線状となるよう形成されて配設されてなる請求項６記載のマイクロミキサー。
【請求項８】
前記複数の電極は、同一平面上に配置されてなる請求項１ないし７いずれか記載のマイクロミキサー。
【請求項９】
前記交流電圧印加手段は、振幅が１０Ｖ以上の電圧の交流電圧を印加可能な手段である請求項１ないし８いずれか記載のマイクロミキサー。
【請求項１０】
断面の相当直径が１０００マイクロメートル以下の流路に流れる１０-3ｍｏｌ／ｌの塩化カリウム水溶液の導電率を超える導電率を有する導電性流体を撹拌する撹拌方法であって、
前記流路に配設された複数の電極に１０5Ｈｚ以上の周波数の交流電圧を印加する、
ことを特徴とする撹拌方法。
【請求項１１】
断面の相当直径が１０００マイクロメートル以下の流路に層状に流れる１０-3ｍｏｌ／ｌの塩化カリウム水溶液の導電率を超える導電率を有する複数の流体を混合する混合方法であって、
前記流路に複数の電極を配設すると共に該複数の電極に１０5Ｈｚ以上の周波数の交流電圧を印加することにより前記複数の流体を混合する、
ことを特徴とする混合方法。
【発明の詳細な説明】
【技術分野】
【０００１】
本発明は、マイクロミキサーおよび流体の撹拌方法並びに流体の混合方法に関し、詳しくは、断面の相当直径が１０００マイクロメートル以下の流路に流れる所定導電率以上の導電率を有する導電性流体を撹拌するマイクロミキサーおよび断面の相当直径が１０００マイクロメートル以下の流路に流れる１０-3ｍｏｌ／ｌの塩化カリウム水溶液の導電率以上の導電率を有する導電性流体を撹拌する撹拌方法並びに断面の相当直径が１０００マイクロメートル以下の流路に層状に流れる１０-3ｍｏｌ／ｌの塩化カリウム水溶液の導電率以上の導電率を有する複数の流体を混合する混合方法に関する。
【背景技術】
【０００２】
流路内の流体を撹拌したり、複数の流体の混合を促進する手法としては、先端部にプロペラを有するミキサーをモータで駆動することにより撹拌したり混合する機械的な手法や超音波を照射することにより撹拌したり混合する手法などが種々提案されている。
【発明の開示】
【発明が解決しようとする課題】
【０００３】
しかしながら、断面の相当直径が１０００マイクロメートル以下のマイクロ流路内に流れる流体を撹拌したり混合する場合には、機械的手法によっては行なうことができない。また、超音波を用いて撹拌したり混合する場合には、超音波発信器を備える必要から装置が大型化してしまう。こうした問題に対して、流路を三次元的にくねらせた構造としたり、流路内の流れを乱す構造物を形成したりしてその撹拌性や混合性を高めることも考えられるが、いずれの場合にも流路の形成が困難なものとなる。
【０００４】
本出願の発明者らは、上述した課題を解決するために、交流電気浸透により流体に対流現象作用を生じさせて混合流路内の流体を迅速に撹拌したり混合するものとして、「断面の相当直径が１０００マイクロメートル以下の流路に流れる流体を撹拌するマイクロミキサーであって、前記流路に配設された複数の電極と、前記複数の電極に交流電圧を印加する交流電圧印加手段と、を備えるマイクロミキサー」を提案している（特願２００５−１４８７１９）。発明者らのその後の研究により、交流電気浸透を用いた流体の撹拌や混合は、導電率の低い流体に対しては高い撹拌率や混合率を得ることができるものの、導電率が高い流体に対しては十分な撹拌や混合が得られないことが解った。導電率が高い流体の撹拌や混合は、溶媒に薬剤を溶解する際の撹拌や溶媒に薬液を混合する際の混合などに必要なものであることから、高い撹拌率や混合率で導電率が高い流体を撹拌したり混合することが望まれる。
【０００５】
本発明のマイクロミキサーおよび流体の撹拌方法並びに流体の混合方法は、断面の相当直径が１０００マイクロメートル以下のマイクロ流路内に流れる導電率の高い流体を迅速に撹拌したり混合することを目的の一つとする。また、本発明のマイクロミキサーおよび流体の撹拌方法並びに流体の混合方法は、簡易な構成により、断面の相当直径が１０００マイクロメートル以下のマイクロ流路内に流れる導電率の高い流体を撹拌したり混合することを目的の一つとする。
【課題を解決するための手段】
【０００６】
本発明のマイクロミキサーおよび流体の撹拌方法並びに流体の混合方法は、上述の目的の少なくとも一部を達成するために以下の手段を採った。
【０００７】
本発明のマイクロミキサーは、
断面の相当直径が１０００マイクロメートル以下の流路に流れる所定導電率を超える導電率を有する導電性流体を撹拌するマイクロミキサーであって、
前記流路に配設された複数の電極と、
前記複数の電極に所定周波数以上の周波数の交流電圧を印加する交流電圧印加手段と、
を備えることを要旨とする。
【０００８】
この本発明のマイクロミキサーでは、流路に配設された複数の電極に所定周波数以上の周波数の交流電圧を印加することにより、流路に流れる導電性流体を撹拌する。これは、流体内に配設された二つの電極に交流電圧を印加すると、二つの電極と電極の間から、それらの他端に向かう力が溶液に作用し、導電性流体内に対流が生じる、いわゆるエレクトロサーマルフロー（Electrothermal Flow：以下、ＥＴＦと略す。）による現象に基づく。即ち、流路に配設された複数の電極に所定周波数以上の周波数の交流電圧を印加することにより、流路内の導電性流体にＥＴＦを生じさせ、流路内の導電性流体にその流向とは異なる方向の対流現象作用を生じさせ、これにより導電性流体を撹拌するのである。したがって、流路内に複数の電極を配設すると共に配設した複数の電極に所定周波数以上の周波数の交流電圧を印加するだけで断面の相当直径が１０００マイクロメートル以下の流路に流れる導電性流体を撹拌することができる。この結果、簡易な構成により、こうしたマイクロ流路内に流れる導電性流体を迅速に撹拌することができる。ここで、所定導電率としては、１０-3ｍｏｌ／ｌの塩化カリウム水溶液の導電率を用いることができる。即ち、１０-3ｍｏｌ／ｌの塩化カリウム水溶液の導電率を超える導電率の導電性流体の撹拌に特に有効である。また、所定周波数としては、１０5Ｈｚを用いることができる。即ち、１０5Ｈｚ以上の周波数の交流電圧を印加するときに特に有効である。このとき、振幅としての電圧としては、１０Ｖや２０Ｖ，５０Ｖ，１００Ｖ，２００Ｖなど種々の電圧を用いることができる。さらに、流路の断面の相当直径については１０００マイクロメートル以下であればよく、断面の相当直径としては、５００マイクロメートルや１００マイクロメートル、５０マイクロメートル、１０マイクロメートルなどを用いるものとしてもよい他、ナノメートルオーダーを用いるものとしてもよい。
【０００９】
こうした本発明のマイクロミキサーにおいて、前記複数の電極は、前記流路における導電性流体の流心に対して非対称となるよう配設されてなるものとすることもできる。こうすれば、導電性流体に対して非対称な対流現象作用を生じさせるから、より迅速に撹拌することができる。
【００１０】
また、本発明のマイクロミキサーにおいて、前記複数の電極は、千鳥状に配設されてなるものとすることもできる。こうすれば、導電性流体に対して直交する複数の方向の対流現象作用を生じさせるから、より迅速に撹拌することができる。
【００１１】
さらに、本発明のマイクロミキサーにおいて、前記複数の電極は、二つの電極を該二つの電極間の隙間が曲線状となるよう形成されて配設されてなるものとすることもできる。こうすれば、導電性流体の流心に対して対流現象作用を曲線状に変化させることができるから、より迅速に撹拌することができる。この場合、前記二つの電極は、該二つの電極間の隙間が波線状となるよう形成されて配設されてなるものとすることもできる。
【００１２】
あるいは、本発明のマイクロミキサーにおいて、前記複数の電極は、同一平面上に配置されてなるものとすることもできる。こうすれば、容易に複数の電極を配設することができる。
【００１３】
本発明の撹拌方法は、
断面の相当直径が１０００マイクロメートル以下の流路に流れる１０-3ｍｏｌ／ｌの塩化カリウム水溶液の導電率を超える導電率を有する導電性流体を撹拌する撹拌方法であって、
前記流路に配設された複数の電極に１０5Ｈｚ以上の周波数の交流電圧を印加する、
ことを特徴とする。
【００１４】
この本発明の撹拌方法では、本発明のマイクロミキサーと同様に、流路に配設された複数の電極に１０5Ｈｚ以上の周波数の交流電圧を印加することにより、流路内の１０-3ｍｏｌ／ｌの塩化カリウム水溶液の導電率を超える導電率を有する導電性流体にＥＴＦを生じさせ、流路内の導電性流体にその流向とは異なる方向の対流現象作用を生じさせ、これにより導電性流体を撹拌する。したがって、流路内に複数の電極を配設すると共に配設した複数の電極に１０5Ｈｚ以上の周波数の交流電圧を印加するだけで断面の相当直径が１０００マイクロメートル以下の流路に流れる導電性流体を撹拌することができる。この結果、簡易な構成により、こうしたマイクロ流路内に流れる導電性流体を迅速に撹拌することができる。
【００１５】
本発明の混合方法は、
断面の相当直径が１０００マイクロメートル以下の流路に層状に流れる１０-3ｍｏｌ／ｌの塩化カリウム水溶液の導電率を超える導電率を有する複数の流体を混合する混合方法であって、
前記流路に複数の電極を配設すると共に該複数の電極に１０5Ｈｚ以上の周波数の交流電圧を印加することにより前記複数の流体を混合する、
ことを特徴とする。
【００１６】
この本発明の混合方法は、本発明のマイクロミキサーと同様に、流路に配設された複数の電極に１０5Ｈｚ以上の周波数の交流電圧を印加することにより、流路内の１０-3ｍｏｌ／ｌの塩化カリウム水溶液の導電率を超える導電率を有する流体に交流電気浸透を生じさせ、流路内の流体にその流向とは異なる方向の対流現象作用を生じさせ、これにより複数の流体を混合する。したがって、流路内に複数の電極を配設すると共に配設した複数の電極に１０5Ｈｚ以上の周波数の交流電圧を印加するだけで断面の相当直径が１０００マイクロメートル以下の流路に層状に流れる１０-3ｍｏｌ／ｌの塩化カリウム水溶液の導電率を超える導電率を有する複数の流体を混合することができる。この結果、簡易な構成により、こうしたマイクロ流路内に層状に流れる複数の流体を迅速に混合することができる。
【発明を実施するための最良の形態】
【００１７】
次に、本発明を実施するための最良の形態を実施例を用いて説明する。
【実施例】
【００１８】
図１は、本発明の一実施例としてのマイクロミキサー２０の平面的な構成の概略を模式的に示す構成図である。実施例のマイクロミキサー２０は、図示するように、導入流路１２，１４から１０-3ｍｏｌ／ｌの塩化カリウム水溶液の導電率以上の導電率を有する異なる液体（Ａ液およびＢ液）が供給される混合流路２２と、この混合流路２２の底部に隙間が波線状となる一対の電極２４ａ，２４ｂと、この電極２４ａ，２４ｂに振幅が１０Ｖ以上で１０5Ｈｚ以上の周波数の交流電圧を印加する交流電源２６とを備える。
【００１９】
混合流路２２は、その断面は幅が１２０μｍで深さが４０μｍの略円弧状に形成されており、長さが１０ｍｍとして形成されている。一対の電極２４ａ，２４ｂは、混合流路２２内に流れる流体の流心に沿って対をなし、その隙間が波線状となり長手方向（流心に沿った方向）の長さが１．５ｍｍとなるよう形成されて混合流路２２の底部に同一平面状となるよう配設されている。また、交流電源２６は、振幅の電圧が２５Ｖで周波数が５ＭＨｚの交流電圧を印加する電源として構成されている。なお、導入流路１２，１４から導入されるＡ液およびＢ液は、混合流路２２での流速が１ｍｍ／ｓ〜６ｍｍ／ｓ程度となるよう流量調節がなされている。
【００２０】
次に、こうして構成された実施例のマイクロミキサー２０による撹拌の原理について説明する。一般に、断面の相当直径が１０００μｍ以下のマイクロ流路内に流れる流体は乱流領域になり難く、層流領域で流れる。したがって、同一の流量のＡ液とＢ液とを混合流路２２に導入すると、Ａ液とＢ液は流路の中央を境として図１中では上下に層をなして流れ、それぞれの拡散係数にしたがった拡散により混合する。こうしたマイクロ流路の底部に一対の電極を設け、この一対の電極に交流電圧を印加すると、電極上の流体粒子が他方の電極から遠ざかる方向に移動する現象が見られる。この現象は、流体の導電率が低く且つ振幅が数Ｖで数ｋＨｚ程度以下の周波数では交流電気浸透として知られており、流体の導電率が高く且つ振幅が数十ＶでＭＨｚ程度の周波数ではエレクトロサーマルフロー（Electrothermal Flow：以下、ＥＴＦと略す。）として知られている。本実施例のマイクロミキサー２０では、Ａ液およびＢ液は１０-3ｍｏｌ／ｌの塩化カリウム水溶液の導電率を超える導電率を有する液体を対象としていることと振幅が１０Ｖ以上で１０5Ｈｚ以上の周波数の交流電圧を印加することから、ＥＴＦによるものとなる。図２に導電性流体の導電率と交流電圧の周波数と導電性流体の混合率との関係の一例を示す。図中、破線は電気分解が生じていることを示す。１０-4ｍｏｌ／ｌの塩化カリウム水溶液では、ｋＨｚの周波数で混合率が高くＭＨｚの周波数以上では混合率が低いのに対して、１０-1ｍｏｌ／ｌの塩化カリウム水溶液では、ｋＨｚの周波数では電気分解し、０．１ＭＨｚの周波数以上では混合率が高いのが解る。図２や他の実験結果から、１０-3ｍｏｌ／ｌの塩化カリウム水溶液の導電率を超える導電率の導電性流体を対象として１０5Ｈｚの周波数以上の周波数の交流電圧を用いることによりＥＴＦによる混合が有効と考えられる。
【００２１】
図３はＥＴＦにより対称な二つの対流現象作用を説明する説明図である。図３に例示するように、マイクロ流路としての混合流路２２内の流体の流心に沿って一対の電極２４ａ，２４ｂを配置して電極２４ａ，２４ｂに交流電圧を印加すれば、上述したＥＴＦによる流体粒子の移動に伴って混合流路２２内の流体の流心に対して対称をなす二つの対流現象作用が生じる。ここで、図４に例示するように、混合流路２２内の流体の流心に対して偏心して、即ち、一方の電極２４ａを他方の電極２４ｂより大きな面積となるように配置して電極２４ａ，２４ｂに交流電圧を印加すれば、混合流路２２内の流体の流心から偏心した位置で非対称の二つの対流現象作用が生じる。前述したように、混合流路２２内ではＡ液とＢ液とは流路の中央を境として層を流れるから、図４に例示するように、電極２４ａ，２４ｂを混合流路２２内の流体の流心に対して偏心するように配置すれば、ＥＴＦによる非対称の二つの対流現象作用によりＡ液とＢ液との混合が行なわれる。実施例のマイクロミキサー２０では、図１に示すように、電極２４ａ，２４ｂは混合流路２２内の流体の流心に沿ってその隙間が波線状となるように形成されて配置されているから、混合流路２２の流れに沿って、電極２４ａが電極２４ｂより大きな面積となるように配置された状態と逆に電極２４ｂが電極２４ａより大きな面積となるように配置された状態とを繰り返すことになる。このため、混合流路２２内では、Ａ液側に偏った非対称の二つの対流現象作用とＢ液側に偏った非対称の二つの対流現象作用とが繰り返されることにより混合流路２２内が撹拌され、Ａ液とＢ液とが迅速に混合される。
【００２２】
次に、実施例のマイクロミキサー２０の性能について説明する。図５は、実施例のマイクロミキサー２０における混合流路２２内の流体（Ａ液およびＢ液）の流速Ｖと５０％混合するのに必要な混合流路２２内における電極２４ａ，２４ｂの長さを比較例と共に示した説明図である。ここで比較例は、実施例のマイクロミキサー２０から電極２４ａ，２４ｂを取り除いたときの混合流路２２内の流体（Ａ液およびＢ液）の流速Ｖと５０％混合するのに必要な混合流路２２の長さである。実施例の条件としては、Ａ液およびＢ液として１０-1ｍｏｌ／ｌの塩化カリウム水溶液を用い、振幅が２５Ｖで５ＭＨｚの周波数の交流電圧を印加した。図示するように、比較例では、混合流路２２内の流体の流速が２ｍｍ／ｓ〜６ｍｍ／ｓの範囲内で５０％混合するのに必要な混合流路２２の長さが８ｍｍ〜２０ｍｍ程度であるのに対して、実施例では、同一の混合流路２２内の流体の流速の範囲に対して５０％混合するのに必要な電極２４ａ，２４ｂの長さは０．９ｍｍ〜２ｍｍ程度となる。したがって、実施例では、混合流路２２の長さを比較例に比して１／１０程度にすることができる。
【００２３】
図６は、実施例のマイクロミキサー２０における混合流路２２内の流体（Ａ液およびＢ液）の導電率と混合率との関係の一例を示す説明図である。なお、実験条件としては、振幅が２５Ｖで５ＭＨｚの周波数の交流電圧を印加した。図示するように、１０-3ｍｏｌ／ｌの塩化カリウム水溶液の導電率を超える導電率で良好な混合率となっているのが解る。
【００２４】
図７に、０．１ｍｏｌ／ｌの塩化カリウム水溶液に８５０ｐｍｏｌ／ｌのλ−ＤＮＡを混在させた溶液と０．１ｍｏｌ／ｌの塩化カリウム水溶液とを混合する際に電極２４ａ，２４ｂに交流電圧を印加した場合（ＯＮ）と印加しなかった場合（ＯＦＦ）との混合の状態を示す。このときの条件としては、混合流路２２として１２０μｍで深さ４０μｍを用いると共に電極２４ａ，２４ｂに印加する交流電圧としては振幅が１５Ｖで５ＭＨｚの周波数のものを用いた。図示するように、電極２４ａ，２４ｂに交流電圧を印加した場合（ＯＮ）は、電極２４ａ，２４ｂに交流電圧を印加しなかった場合（ＯＦＦ）に比して、十分な混合が行なわれているのが解る。
【００２５】
以上説明した実施例のマイクロミキサー２０によれば、ＥＴＦを利用することにより、断面の相当直径が１０００μｍ以下のマイクロ流路内に流れる１０-3ｍｏｌ／ｌの塩化カリウム水溶液の導電率を超える導電率を有する導電性流体を迅速に撹拌したり混合することができる。しかも、混合流路２２内の流体の流心に対して偏心するよう混合流路２２の底部に一対の電極２４ａ，２４ｂを配設すると共にこの一対の電極２４ａ，２４ｂに１０5Ｈｚの周波数以上の周波数の交流電圧を印加するだけで、断面の相当直径が１０００μｍ以下のマイクロ流路内に流れる導電性流体を迅速に撹拌したり混合することができる。即ち、簡易な構成でマイクロ流路内に流れる導電性流体を迅速に撹拌したり混合することができる。これらの結果、混合流路２２の長さを従来からの比較例に比して短くすることができ、装置の小型化を図ることができる。
【００２６】
実施例のマイクロミキサー２０では、一対の電極２４ａ，２４ｂを混合流路２２の底部に配設するものとしたが、一対の電極２４ａ，２４ｂを混合流路２２の底部に配設するものに限定されるものではなく、一対の電極２４ａ，２４ｂを混合流路２２の頂部や側部など種々の部位に配設するものとしてもよい。この場合、一対の電極２４ａ，２４ｂを同一平面上に配置しないものとしても構わない。
【００２７】
実施例のマイクロミキサー２０では、混合流路２２の断面を幅が１２０μｍで深さが４０μｍの略円弧状としたが、混合流路２２の断面は、相当直径が１０００μｍ以下であれば、如何なる断面形状としてもよい。即ち、円形断面としてもよいし、矩形断面としてもよいし、多角形断面や楕円断面などとしても構わない。また、こうした混合流路２２としては、断面の相当直径が１０００μｍ以下のマイクロ流路であればよく、マイクロ流路の断面の相当直径としては、５００μｍや１００μｍ、５０μｍ、１０μｍなどを用いるものとしてもよい他、ナノメートルオーダーを用いるものとしてもよい。
【００２８】
実施例のマイクロミキサー２０では、混合流路２２内の流体の流心に対して偏心するよう混合流路２２の底部にその隙間が波線状となるよう形成された一対の電極２４ａ，２４ｂを配設するものとしたが、混合流路２２内の流体の流心に対して偏心しないように混合流路２２の底部にその隙間が直線状となるよう形成された矩形の一対の電極を配設するものとしても構わない。
【００２９】
また、実施例のマイクロミキサー２０では、混合流路２２内に流れる流体の流心に沿って対をなし、その隙間が波線状となるよう一対の電極２４ａ，２４ｂを形成して混合流路２２の底部に配設するものとしたが、混合流路２２内に流れる流体の流心に対して偏心していればよいから、図８の変形例のマイクロミキサー１２０に例示するように、混合流路１２２の底部に混合流路１２２内に流れる流体の流心から偏心するよう二対の電極１２４ａ，１２４ｂを配設するものとしてもよい。この場合でも実施例と同様に混合流路１２２内の流体を迅速に撹拌したり混合することができる。また、図９の変形例のマイクロミキサー２２０に例示するように、混合流路２２２の底部の中央に電極２２４ａを配設すると共に混合流路２２２の底部の両サイドに二つの電極２２４ｂを配設するものとしてもよい。この場合、中央の電極２２４ａは、二つの電極を合体させたものと見ることができ、対流現象作用は混合流路２２２内に流れる流体の流心から偏心している。この場合でも実施例と同様に混合流路２２２内の流体を迅速に撹拌したり混合することができる。さらに、図１０の変形例のマイクロミキサー３２０に例示するように、その隙間が曲線状となるように且つその隙間が混合流路３２２内に流れる流体の流心から偏心するように一対の電極３２４ａ，３２４ｂを形成して混合流路３２２の底部に配設するものとしてもよい。このほか、矩形や円形，楕円形に形成された複数の電極を混合流路２２内に千鳥状に配置するものとしても構わない。
【００３０】
実施例のマイクロミキサー２０では、混合流路２２に導入流路１２，１４から異なる液体（Ａ液およびＢ液）が導入されるものとしたが、導入される液体は２液に限定されるものではなく、３以上の複数の液体が導入されるものとしてもよいし、１液のみが導入されるものとしても構わない。
【００３１】
実施例のマイクロミキサー２０では、一対の電極２４ａ，２４ｂに振幅が１０Ｖ以上で１０5Ｈｚ以上の周波数の交流電圧を印加する交流電源２６を備えるものとしたが、一対の電極２４ａ，２４ｂに印加する交流電圧の振幅としての電圧は、１０Ｖや５０Ｖに限定されるものでなく、２０Ｖや７０Ｖ，１００Ｖ，２００Ｖなど種々の電圧を用いることができる。また、交流電圧の周波数も１０5Ｈｚ以上であればよく、１ＭＨｚや５ＭＨｚ，１０ＭＨｚなど種々の周波数の交流電圧を用いることができる。
【００３２】
実施例では、本発明を装置としてのマイクロミキサーとして説明したが、断面の相当直径が１０００μｍ以下のマイクロ流路内に流れる導電性流体の撹拌方法の形態としてもよいし、断面の相当直径が１０００μｍ以下のマイクロ流路内に層をなして流れる複数の流体の混合方法の形態としてもよい。
【００３３】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３４】
本発明は、マイクロミキサーの製造産業などに利用可能である。
【図面の簡単な説明】
【００３５】
【図１】本発明の一実施例としてのマイクロミキサー２０の平面的な構成の概略を模式的に示す構成図である。
【図２】導電性流体の導電率と交流電圧の周波数と導電性流体の混合率との関係の一例を示す説明図である。
【図３】ＥＴＦにより対称な二つの対流現象作用を説明する説明図である。
【図４】ＥＴＦにより非対称な二つの対流現象作用を説明する説明図である。
【図５】実施例における混合流路２２内の流体の流速Ｖと５０％混合するのに必要な混合流路２２内における電極２４ａ，２４ｂの長さとの関係の一例を示す説明図である。
【図６】実施例のマイクロミキサー２０における混合流路２２内の流体（Ａ液およびＢ液）の導電率と混合率との関係の一例を示す説明図である。
【図７】０．１ｍｏｌ／ｌの塩化カリウム水溶液を用いた実験結果の一例を示す説明図である。
【図８】変形例のマイクロミキサー１２０の構成の概略を示す構成図である。
【図９】変形例のマイクロミキサー２２０の構成の概略を示す構成図である。
【図１０】変形例のマイクロミキサー３２０の構成の概略を示す構成図である。
【符号の説明】
【００３６】
１２，１４  導入流路、２０  マイクロミキサー、２２，１２２，２２２，３２２  混合流路、２４ａ，２４ｂ，１２４ａ，１２４ｂ，２２４ａ，２２４ｂ，３２４ａ，３２４ｂ  電極、２６  交流電源。
【図１】
2008062190.tif 000003
【図２】
2008062190.tif 000004
【図３】
2008062190.tif 000005
【図４】
2008062190.tif 000006
【図５】
2008062190.tif 000007
【図６】
2008062190.tif 000008
【図７】
2008062190.tif 000009
【図８】
2008062190.tif 000010
【図９】
2008062190.tif 000011
【図１０】
2008062190.tif 000012